(57)【特許請求の範囲】
【請求項１】
模様を選択する模様選択装置と、該選択された模様を形成するために布送り機構及び／又は針振幅機構の調整を行う模様形成装置とを備えた模様縫い可能なミシンにおいて、
前記模様選択装置により選択された模様を表示する模様表示部と、
該選択された模様に対応した模様形成装置の調整値を所定の範囲で示す調整範囲表示部と、を備え、
前記模様表示部が模様表示と該各模様表示近傍に設けられた模様指示窓を有し、
前記調整範囲表示部が所定長さの調整範囲表示窓を有し、
前記模様選択装置の操作に連動して回転する第１の円筒と、
該第１の円筒側面上に描かれ、前記模様選択装置により選択された模様に対応する前記模様表示部における模様指示窓に表示を行うための模様指示表示と、
前記模様選択装置の操作に連動して回転し該第１の円筒にほぼ平行に配設された第２の円筒と、
該第２の円筒側面上に描かれ、前記模様選択装置により選択された模様に対応する調整範囲を前記調整範囲表示窓に表示するための調整範囲指示表示と、
を有する模様縫い可能なミシン。
【請求項２】
前記第１と第２の円筒がミシンのアーム部の内部に設けられ、
前記模様表示部と前記調整範囲表示部が前記アーム部の表面に設けられた、
請求項１に記載の模様縫い可能なミシン。
【発明の詳細な説明】
【０００１】
【発明の属する技術分野】
この発明は、模様縫い可能なミシンに関する。
【０００２】
【従来の技術】
家庭用のミシンなどにおいて、針振幅機構や布送り調整機構を制御してジグザグ縫いやボタンホール縫いなど様々な模様縫いを可能にしたミシンが知られている。このようなミシンにおいて、更に模様に応じて縫い目の幅や縫い目のあらさ或いは上糸の強さ（押さえ）等を適切なものに調整可能にしたものが普及している。
【０００３】
【発明が解決しようとする課題】
しかし、上記した選択可能な模様の種類が多くなるにつれ、模様毎に種々の適切な調整を行うことは操作を難しくし、その都度取扱説明書を読んで適正調整範囲を知り、調整を行わなければならない等の問題があった。
本発明は上記従来技術の欠点を改善することを目的とする。
【０００４】
【課題を解決するための手段】
上記目的を達成するために、本発明は、模様を選択する模様選択装置と、該選択された模様を形成するために布送り機構及び／又は針振幅機構の調整を行う模様形成装置とを備えた模様縫い可能なミシンにおいて、前記模様選択装置により選択された模様を表示する模様表示部と、該選択された模様に対応した模様形成装置の調整値を所定の範囲で示す調整範囲表示部と、を備えたことを特徴とする。
前記模様表示部と前記調整範囲表示部は、前記模様選択装置による模様選択に連動して表示を行う、ように構成することが望ましい。
好適な実施例において、前記模様表示部が模様表示と該各模様表示近傍に設けられた模様指示窓を有する。また前記調整範囲表示部が所定長さの調整範囲表示窓を有する。そして、前記模様選択装置の操作に連動して回転する第１の円筒と、該第１の円筒上に描かれ、前記模様選択装置により選択された模様に対応する前記模様表示部における模様指示窓に表示を行うための模様指示表示とを有し、
前記模様指示窓に模様指示表示を表示することにより選択された模様をユーザに知らせるようになっている。
一方前記模様選択装置の操作に連動して回転し該第１の円筒にほぼ平行に配設された第２の円筒と、該第２の円筒上に描かれ、前記模様選択装置により選択された模様に対応する調整範囲を前記調整範囲表示窓に表示するための調整範囲指示表示と、を備え、前記調整範囲表示窓に調整範囲指示表示を表示するように構成されている。
前記第１と第２の円筒がミシンのアーム部の内部に設け、前記模様表示部と前記調整範囲表示部を前記アーム部の表面に設けるのが望ましく、この構成により構造を簡単化することが可能になる。
【０００５】
【発明の実施の形態】
以下本発明の実施の形態を図面に基づいて説明する。
図１はミシンの正面図を示すもので、アーム部に表示パネル１が設けられ、その横に縫い目はば調節レバー２１及び縫い目あらさ調節レバー２２が設けられている。上糸の調節レバーは図示されていない。ミシンの側部には模様選択ダイアル２０が設けられており、この模様選択ダイアル２０を回すことにより模様の選択がなされ、図５に示すミシンの縫い機構に設けられた模様形成装置が選択された模様縫いを行うように設定されるようになっている。即ち図５の振幅機構５１と布送り機構５２を調整して所望の模様縫いを行わせるように構成されている。
【０００６】
表示パネル１は図２に示すように予め描かれた模様表示２を有し、この各模様表示２の下に模様表示窓３が設けられており、該模様表示窓３に模様指示表示５を表示することにより、選択された模様を示すようになっている。模様指示表示５はこの例では模様表示窓３を埋める単色の塗りつぶしである。
模様表示２の上には３つの横長の調整範囲表示窓４ａ、ｂ、ｃが設けられており、左からそれぞれ上糸の強さ、縫い目のはば、縫い目のあらさを表すようになっている。該調整範囲表示窓４の下側には調整範囲を表す調整数値７ａ、ｂ、ｃが予め描かれている。各調整範囲表示窓４に調整範囲指示表示６ａ、ｂ、ｃを表示することにより、各調整範囲を表すように構成されている。調整範囲指示表示６はこの実施例では調整範囲を示す幅を有する単色の塗りつぶしを採用している。
【０００７】
図３に模様表示窓３、調整範囲表示窓４に模様指示表示５及び調整範囲指示表示６を表示する機構を示す。
前記ミシンのアーム部の内部に、模様円筒１０と調整範囲円筒１１とが設けられている。模様円筒１０は模様選択ダイアル２０に連結された連動機構１８によりギア１５を介して回転するようになっており、この模様円筒１０の回転に更に連動して連動ギア１７とギア１６を介して調整範囲円筒１１が回転するように構成されている。
模様円筒１０の側面には模様指示表示５が描かれており、また調整範囲円筒１１の側面には調整範囲指示表示６が描かれている。表示パネル１の模様表示窓３と調整範囲表示窓４はミシンアーム部のケースに透孔を設けることにより形成されており、内部の模様円筒１０と調整範囲円筒１１上に描かれた模様指示表示５と調整範囲指示表示６が、該窓３、４に表示されるように構成されている。
模様円筒１０と調整範囲円筒１１の回動位置は模様選択ダイアル２０により選択された模様に応じて一義的に決定されるようになっており、選択された模様に応じて、模様指示表示５と調整範囲指示表示６を模様表示窓３及び調整範囲表示窓４に表示するように構成されている。
【０００８】
図４にミシン全体の斜視図を示す。前記した様に模様選択ダイアル２０を操作することにより図５に示す振幅機構５１と布送り機構５２を調整して所望の模様縫いを実行させるように設定し、更に連動機構１８を介して模様円筒１０と調整範囲円筒１１を回動させ、模様表示窓３に選択模様の表示と、調整範囲表示窓４に調整範囲の表示を行わせるように構成されている。
【０００９】
以上の構成において、ユーザは模様選択ダイアル２０を回転させることにより、表示パネル１の模様表示窓３を見ながら所望の模様を簡単に選択できる。そして、同時に調整範囲表示窓４には上糸の強さの適正な範囲、縫い目はばの適正な範囲、及び縫い目のあらさの適正な範囲が表示されるから、該表示に応じて縫い目はば調節レバー２１と縫い目あらさ調節レバー２２及び上糸調節器（図示せず）を調整して、適正な範囲で所望の調整を行うことが可能になる。この際、従来のように取り扱い説明書を読む等の必要がなく、簡単な操作で上記設定が可能である。
【００１０】
なお、上記模様円筒１０と調整範囲円筒１１の内部に照明装置を入れ、模様円筒１０と調整範囲円筒１１を光透過性の材質で構成することにより模様指示表示５と調整範囲指示表示６を光らせること等本発明の範囲内で種々の変形が可能である。
【００１１】
【発明の効果】
以上説明したように、本発明の模様縫い可能なミシンによれば、選択された模様の表示と共に適正な縫い機構の調整値を表示できるから、操作が容易で、適正な縫いを実行できる効果がある。
【図面の簡単な説明】
【図１】本発明の一実施形態を示すミシンの正面図。
【図２】本発明の一実施形態における表示パネル１の拡大図。
【図３】本発明の一実施形態における表示部の機構を示す概略斜視図。
【図４】本発明の一実施形態のミシンの全体を示す外観図。
【図５】本発明の一実施形態のミシンの縫い機構を示す透視図。
【符号の説明】
１：表示パネル、２：模様表示、３：模様表示窓、４：調整範囲表示窓、５：模様指示表示、６：調整範囲指示表示、７：調整数値、１０：模様円筒、１１：調整範囲円筒、１５：ギア、１６：ギア、１７：連動ギア、１８：連動機構、２０：模様選択ダイアル、２１：縫い目はば調節レバー、２２：縫い目あらさ調節レバー、５１：振幅機構、５２：布送り機構。
【図１】
0004043616.tif 000002
【図２】
0004043616.tif 000003
【図３】
0004043616.tif 000004
【図４】
0004043616.tif 000005
【図５】
0004043616.tif 000006